(57)【要約】【課題】プラスチックフィルムハウスの側面の窓を覆蓋するシートを開閉して窓を開閉する側窓開閉装置であって、窓を上側から開放させると共に、シートにたるみが生じにくい側窓開閉装置を提供する。【解決手段】窓６のシート１２は、下辺が該窓６の下縁部に固定されており、上辺が、窓６に沿って該窓６の上縁側と下縁側との間を転動移動可能な巻芯１４に結合されている。巻芯１４には、延出体１６の一端が連結されている。延出体１６は、一端が巻芯１４に連結され、該一端に引き続く部分が窓６の上縁よりも高位となる高さまで引き回され、途中部分が、該窓６の上縁よりも高位となる高さに配置されたローラ１８の上側に掛け回され、該途中部分よりも他端側が錘体２０により下方へ引張られている。即ち、巻芯１４には、延出体１６を介して錘体の自重により引き上げ力が加えられている。【選択図】図１
2005318824.tif 000002
【特許請求の範囲】
【請求項１】
プラスチックフィルムハウスの側面に設けられた窓を覆蓋するシートを開閉するための側窓開閉装置であって、
前記シートは、一側辺が該窓の下縁側に固定され、該窓の上縁側まで拡開する大きさを有しており、
該シートの他側辺が結合されており、該窓に沿って窓の上縁側と下縁側との間を転動しながら移動可能であり、該上縁側から下縁側へ転動することにより該シートを巻取り、該下縁側から上縁側へ転動することによりシートを窓に覆蓋させる巻芯と、
一端が該巻芯に連結され、該一端に引き続く部分が該巻芯から延出しており、該巻芯の低位側への転動に伴って該巻芯に巻取られ、該巻芯の高位側への転動に伴って該巻芯から巻出される延出体と、
該延出体の途中部分が掛け回された延出体案内部材と、
該延出体のうち該途中部分よりも他端側に対し引下げ力を与える錘体と
を備えてなるプラスチックフィルムハウスの側窓開閉装置。
【請求項２】
請求項１において、前記延出体案内部材は、前記窓の上縁よりも高位となる高さに配置されており、
前記延出体のうち前記一端に引き続く部分が窓に沿って上方へ引き回され、前記途中部分が該延出体案内部材に掛け回され、該途中部分よりも他端側に対し錘体から引下げ力が加えられており、
該延出体の少なくとも一部はネットであることを特徴とするプラスチックフィルムハウスの側窓開閉装置。
【請求項３】
請求項１において、該延出体の少なくとも一部は紐状であることを特徴とするプラスチックフィルムハウスの側窓開閉装置。
【請求項４】
請求項１ないし３のいずれか１項において、該延出体は、前記途中部分よりも他端側において前記巻芯と平行な折り返し部に沿って折り返されており、
該延出体のうち、前記途中部分と該折り返し部との間の部分が前記延出体案内部材から下方に引き回され、該折り返し部と前記他端との間の部分が該折り返し部よりも高位側へ引き回され、該他端が該折り返し部よりも高位となる高さに固定されており、
該折り返し部の内側に沿って円柱状又は円筒状の前記錘体が保持されていることを特徴とするプラスチックフィルムハウスの側窓開閉装置。
【発明の詳細な説明】
【技術分野】
【０００１】
本発明は、ビニルハウスなどのプラスチックフィルムハウスの側窓を開閉するための側窓開閉装置に係り、特にプラスチックフィルムハウスの側面の窓（側窓）を覆蓋するシートを開閉して該側窓を開閉する側窓開閉装置に関する。
【背景技術】
【０００２】
農業用、園芸用等の温室として用いられるビニルハウス等のプラスチックフィルムハウスにあっては、側面に窓を設け、この窓（側窓）を開閉させることにより該プラスチックフィルムハウス内の温度調節や換気を行うことがある。
【０００３】
特開平８−１７２９３３号公報には、このビニルハウスの窓の開閉装置の一例が記載されている。同号公報においては、ビニルハウスの側面は略鉛直面となっており、この側面に窓が設けられている。
【０００４】
この窓を覆うようにビニル樹脂製のシートが設けられている。このシートは、一端辺（上端辺）が窓の上縁部に固定され、他端辺（下端辺）側からロッドに巻取り可能とされている。ロッドは、ビニルハウスの側面に沿って略水平に延在している。
【０００５】
なお、ロッドは、手動式のハンドル操作により、窓に沿って該窓の上縁側と下縁側との間を転動するよう構成されている。
【０００６】
この側窓開閉装置においては、ハンドルを回転操作してロッドを窓に沿って該窓の下縁側から上縁側へ転動させることにより、シートが該ロッドに巻取られて窓が開放される。また、ロッドを窓に沿って該上縁側から下縁側へ転動させることにより、シートがロッドから巻出されて窓が閉鎖される。
【特許文献１】特開平８−１７２９３３号公報
【発明の開示】
【発明が解決しようとする課題】
【０００７】
上記特開平８−１７２９３３号公報の側窓開閉装置にあっては、シートを下端辺側からロッドで巻上げて窓を下側から開放させるため、ビニルハウス（プラスチックフィルムハウス）内部の上側に滞留した暖気を外部に流出させにくい。
【０００８】
また、このように窓を下側から開放させる場合、外部の地表近くの比較的温度の低い空気（冷気）がビニルハウス内に流れ込み易くなり、この冷気が農作物に直接当って農作物にダメージを与えるおそれがある。また、地表近くの雑草等に取り付いている害虫などもビニルハウス内に侵入し易い。
【０００９】
さらに、シートの外面に掛かった雨水等の水滴が該シート外面に沿って流れ落ちる場合、該シートの下端辺に連結されたロッド又は該ロッドによるシート下端辺側からのシート巻取り体により堰き止められるようにして水が溜まり易い。
【００１０】
なお、このシートの下端辺を窓の下縁部に固定し、該シートの上端辺側からロッドで該シートを巻取って窓を上側から開けるよう構成することも考えられる。しかしながら、このように構成した場合、シートの自重により該シートにたるみが生じ易くなる。また、ロッドに回転力を付与する機構だけでなく、シートの巻取り・巻出しに連動してロッドを上下動させる複雑な機構が必要となる。
【００１１】
本発明は、プラスチックフィルムハウスの側面の窓を覆蓋するシートを開閉して窓を開閉する側窓開閉装置であって、簡易な機構にて、窓を上側から開放させると共に、シートにたるみが生じにくい側窓開閉装置を提供することを目的とする。
【課題を解決するための手段】
【００１２】
本発明（請求項１）のプラスチックフィルムハウスの側窓開閉装置は、プラスチックフィルムハウスの側面に設けられた窓を覆蓋するシートを開閉するための側窓開閉装置であって、前記シートは、一側辺が該窓の下縁側に固定され、該窓の上縁側まで拡開する大きさを有しており、該シートの他側辺が結合されており、該窓に沿って窓の上縁側と下縁側との間を転動しながら移動可能であり、該上縁側から下縁側へ転動することにより該シートを巻取り、該下縁側から上縁側へ転動することによりシートを窓に覆蓋させる巻芯と、一端が該巻芯に連結され、該一端に引き続く部分が該巻芯から延出しており、該巻芯の低位側への転動に伴って該巻芯に巻取られ、該巻芯の高位側への転動に伴って該巻芯から巻出される延出体と、該延出体の途中部分が掛け回された延出体案内部材と、該延出体のうち該途中部分よりも他端側に対し引下げ力を与える錘体とを備えてなるものである。
【００１３】
請求項２のプラスチックフィルムハウスの側窓開閉装置は、請求項１において、前記延出体案内部材は、前記窓の上縁よりも高位となる高さに配置されており、前記延出体のうち前記一端に引き続く部分が窓に沿って上方へ引き回され、前記途中部分が該延出体案内部材に掛け回され、該途中部分よりも他端側に対し錘体から引下げ力が加えられており、該延出体の少なくとも一部はネットであることを特徴とするものである。
【００１４】
請求項３のプラスチックフィルムハウスの側窓開閉装置は、請求項１において、該延出体の少なくとも一部は紐状であることを特徴とするものである。
【００１５】
請求項４のプラスチックフィルムハウスの側窓開閉装置は、請求項１ないし３のいずれか１項において、該延出体は、前記途中部分よりも他端側において前記巻芯と平行な折り返し部に沿って折り返されており、該延出体のうち、前記途中部分と該折り返し部との間の部分が前記延出体案内部材から下方に引き回され、該折り返し部と前記他端との間の部分が該折り返し部よりも高位側へ引き回され、該他端が該折り返し部よりも高位となる高さに固定されており、該折り返し部の内側に沿って円柱状又は円筒状の前記錘体が保持されていることを特徴とするものである。
【発明の効果】
【００１６】
本発明のプラスチックフィルムハウスの側窓開閉装置においては、シートは、下端辺が窓の下縁側に固定されると共に、上端辺が巻芯に結合されている。このシートが窓を覆った状態から巻芯を窓の上縁側から下縁側へ転動させると、シートが巻芯に巻取られ、窓が開放する。なお、この際、延出体も巻芯に巻取られる。
【００１７】
シートを巻取った巻芯を、窓の下縁側から上縁側へ転がし上げると、巻芯からシートが巻出され、このシートが窓を覆うので、窓が閉鎖される。なお、この巻芯が転がり上がるときには、延出体が巻芯から巻出される。
【００１８】
本発明では、延出体に対し、錘体の自重により、巻芯からの巻出し方向の引張り力が加えられている。従って、巻芯には、この延出体を介してシート巻出し方向に作用する力、即ち該巻芯を窓の上縁側へ引き上げる力が加えられている。
【００１９】
このように、本発明のプラスチックフィルムハウスの側窓開閉装置にあっては、シートの下端辺を窓の下縁側に固定し、該シートの上端辺側から巻芯で該シートを巻取って窓を上側から開放させるよう構成しているので、ハウス内部の暖気を効果的に流出させることができると共に、外部の地表近くの冷気の流入や、地表近くにいる害虫などの侵入を防止ないし抑制することができる。さらに、シート外面を流れ落ちる水滴等が途中で堰き止められるようにして溜まることがない。
【００２０】
また、本発明の側窓開閉装置にあっては、錘体の自重により、巻芯を窓の上縁側へ引き上げる力が作用しているため、この巻芯を介してシートの上端辺側が窓の上縁側へ引張られ、シートがピンと張るようになる。これにより、シートにたるみが生じにくい。
【００２１】
さらに、このように錘体の自重により常に巻芯に引き上げ力が加えられていることにより、巻芯にシート巻取り方向（転がり下る方向）の回転力を付与すると、この巻芯は、シートを上方へ引張りながら、該シートを巻取りつつ窓に沿って転がり下りるようになり、巻芯にシート巻出し方向（転がり上る方向）の回転力を付与すると、巻芯は、シートを上方へ引張りながら、該シートを巻出しつつ窓に沿って転がり上がるようになる。このような本発明の側窓開閉装置にあっては、巻芯に回転力を付与する機構以外に、シートの巻取り及び巻出しに連動して巻芯を上下に移動させる機構を設ける必要がない。
【００２２】
なお、本発明のプラスチックフィルムハウスの側窓開閉装置においては、巻芯には、その自重（及び巻取ったシートの重量）により窓の下縁側へ転がり落ちようとする力と、錘体に引張られて窓の上縁側へ転がり上がろうとする力との双方の力が加わるので、両者の力の差よりも若干大きい程度の力を加えるだけで巻芯を転動させることができる。
【００２３】
請求項２の態様にあっては、シートが巻芯に巻取られると、延出体も巻芯に巻取られて窓側へ引き出され、該窓を覆うようになる。この延出体はネットとなっているので、該ネットを介してハウス内外の通気が許容されると共に、該窓からハウス内に害虫やゴミ等が侵入することが防止される。
【００２４】
本発明において、延出体を紐状とした場合（請求項３）には、延出体の構成をきわめて簡易なものとすることができる。
【００２５】
請求項４の態様にあっては、延出体は、その途中部分（延出体案内部材に掛かっている部分）よりも他端側において折り返され、この折り返し部の内側に円柱状又は円筒状の錘体が保持されているため、この錘体の自重により、延出体に対し引き下げ力が加えられる。
【発明を実施するための最良の形態】
【００２６】
以下に、図面を参照して本発明の実施の形態について説明する。
【００２７】
第１図及び第２図は実施の形態に係るプラスチックフィルムハウスの側窓開閉装置１０を備えたプラスチックフィルムハウスの断面図であり、第１図は窓閉状態時を示し、第２図は窓開状態時を示している。第３図（ａ）は巻芯とシートとの結合部の斜視図であり、第３図（ｂ）は、この結合部の断面図である。第４図は別の巻芯とシートとの結合構造を示す斜視図である。なお、これらの図においては、この側窓開閉装置１０の構成を明瞭にするために、各シートの厚みを誇張して示している。
【００２８】
第１，２図に示すように、この実施の形態では、プラスチックフィルムハウス１は、アーチ形のフレーム（パイプ）２を複数本所定の間隔にて立設し、これらのフレーム２を取り囲むように合成樹脂シート４を張設してなる所謂カマボコ形のビニルハウスである。図示の通り、該フレーム２は、地面Ｇから略鉛直に起立する１対の柱部２ａ，２ａと、該柱部２ａ，２ａの上端部同士を橋絡するアーチ部２ｂとを有しており、プラスチックフィルムハウス１は、このフレーム２の各柱部２ａに沿って略鉛直な側面１ｓが構成され、アーチ部２ｂに沿って頂陵状の屋根１ｒが構成されている。
【００２９】
なお、該合成樹脂シート４は、この実施の形態では、一般的なビニルハウスに用いられる塩化ビニル系樹脂シート又はポリオレフィン系樹脂シートであるが、これに限定されるものではない。該合成樹脂シート４は、要所が複数箇所において各フレーム２に対し固定具やバンド（いずれも図示略）により固定されている。
【００３０】
このプラスチックフィルムハウス１の側面１ｓに窓（開口）６が形成されている。この窓６がシート１２によって開閉される。このシート１２は、下辺が窓６の下縁部に固定され、該窓６の上縁側へ拡開することにより該窓６を覆蓋しうる大きさを有している。
【００３１】
側窓開閉装置１０は、このシート１２と、該シート１２の上辺が結合されており、該窓６（側面１ｓ）に沿って該窓６の上縁側と下縁側との間を転動しながら移動可能となっている巻芯１４と、一端が該巻芯１４に連結され、該一端に引き続く部分が窓６の上縁よりも高位となる高さまで引き回されている延出体１６と、窓６の上縁よりも高位となる高さに配置されており、該延出体１６の途中部分が上側に掛け回された延出体案内部材としてのローラ１８と、該延出体１６のうち該途中部分（ローラ１８に掛かっている部分）よりも他端側に対し引下げ力を与える錘体２０と、該巻芯１４を窓６の上縁側から下縁側並びに該下縁側から上縁側へ転動させる巻芯転動装置（図示略）とを備えている。
【００３２】
この延出体１６は、ネット１６ａと、該ネット１６ａの一端辺に連なるシート部１６ｂとで構成されている。このシート１６ｂが巻芯１４に結合されている。なお、この結合構造の詳細については後述する。
【００３３】
該シート１２は、この実施の形態では、プラスチックフィルムハウス１の外殻を構成する合成樹脂シート４と同様の材質よりなるものであるが、該合成樹脂シート４と異なっていてもよい。この実施の形態では、該シート１２の下辺は、窓６の下縁付近の合成樹脂シート４に対し溶着や接着等により結合されているが、これに限定されるものではない。
【００３４】
巻芯１４は、窓６に沿って該窓６の上縁側から下縁側へ転動しながら移動することによりシート１２を巻取り、窓６を開放させる。この際、延出体１６も該シート１２と一緒に巻芯１４に巻取られる。また、巻芯１４が窓６に沿って該窓６の下縁側から上縁側へ転動しながら移動することによりシート１２を巻出して窓６に覆蓋させる。この際、延出体１６も巻芯１４から巻出される。なお、この巻芯１４は、円柱状（棒状）又は円筒状のものであり、側面１ｓに沿って略水平に延在している。
【００３５】
この巻芯１４の材質は特に限定されるものではないが、例えば塩ビ管等を用いることができる。また、この巻芯１４の直径は、シート１２及び延出体１６の巻取り及び巻出しをスムーズに行うことができる大きさであればよく、特に限定されるものではないが、５〜５０ｍｍ程度であることが好ましい。
【００３６】
地面Ｇから窓６の側辺に沿ってローラ支持ポスト１８ａが立設されており、このローラ支持ポスト１８ａによってローラ１８が窓６の上縁よりも高位となる高さに支持されている。該ローラ１８は、この実施の形態では円柱状（棒状）のものであり、回転軸の延在方向が巻芯１４の延在方向と平行となるように配置され、両端がローラ支持ポスト１８ａによって軸支されている。
【００３７】
延出体１６は、第１図に示すように、一端（シート部１６ｂ）が巻芯１４に結合され、該一端に引き続く部分が上方へ引き回され、途中部分がローラ１８の上側に掛け回され、該途中部分から他端側へ引き続く部分が該ローラ１８よりも下方へ引き回されている。この実施の形態では、図示の通り、延出体１６は、該途中部分（ローラ１８に掛かっている部分）よりも他端側において、巻芯１４の延在方向と平行な折り返し部に沿って折り返され、該折り返し部から他端側へ引き続く部分が該折り返し部よりも上方へ引き回されている。この実施の形態では、該延出体１６の他端は、ローラ支持ポスト１８ａの上端付近（ローラ１８の下側近傍）に留め付けられている。
【００３８】
この延出体１６にあっては、図示の通り、該折り返し部が最も低位となっている。この延出体１６の折り返し部の内側に錘体２０が保持されている。この実施の形態では、該錘体２０は円柱状のものであり、該折り返し部に沿って巻芯１４と平行に延在している。この錘体２０は、窓６の開閉に際し、延出体１６が巻芯１４に巻取られること及び巻芯１４から巻出されることに伴い、該折り返し部の内側において自転（転動）しつつ低位側から高位側並びに高位側から低位側へ移動する。
【００３９】
この錘体２０の自重により、延出体１６のうちローラ１８に掛かっている部分よりも前記他端側に引き下げ方向の力が作用する。この錘体２０からの引張り力は、延出体１６のうちローラ１８に掛かっている部分よりも前記一端側においては引き上げ方向の力に転じ、該延出体１６を介して巻芯１４を上方へ引張る。従って、巻芯１４は、自重（及び巻取ったシートの重量）によって転落方向に転動しようとし、錘体２０からの引張り力によって転がり上がろうとする。
【００４０】
この実施の形態では、錘体２０の重量は、第２図の如く窓６が全開状態となるまで巻芯１４がシート１２及び延出体１６を巻取った状態において、該巻芯１４と、該巻芯１４に巻取られたシート１２及び延出体１６との合計重量により巻芯１４に生じるシート巻取り方向（転がり落ちる方向）への回転トルクよりも、該錘体２０の重量により延出体１６を介して巻芯１４に生じる転がり上がる方向の回転トルクの方が大きくなるよう設定されている。
【００４１】
即ち、この実施の形態では、巻芯１４には、常時窓６の上縁側への引張り力が加えられている。
【００４２】
この錘体２０の材質や構造は特に限定されるものではない。例えば、この錘体２０は、金属製又は合成樹脂製の中実円柱状（棒状）体であってもよく、中空円筒状体に重量物を充填したものであってもよい。具体的には、塩ビ管に砂などを充填したものであってもよい。
【００４３】
なお、図示はしないが、窓６の下辺及び上辺に沿ってそれぞれストッパが突設されていることが好ましい。巻芯１４がシート１２を巻取りながら該窓６の下縁側へ移動したとき、並びに巻芯１４がシート１２を巻出しながら該窓６の高位側へ移動したときに、それぞれ該巻芯１４がこのストッパに当接して停止する。
【００４４】
この実施の形態では、第３図に示すように、シート１２と延出体１６とが一続きとなっている。即ち、該シート１２は、窓６に覆蓋する領域と、延出体１６の一部（シート部１６ｂ）を構成する領域とを有している。このシート部１６ｂにネット１６ａが連なっている。
【００４５】
この実施の形態では、第３図に示すように、シート１２のうち上記の２つの領域の境界付近を巻芯１４に被せ、その上から挟み固定部材１４ｃを装着することにより、該シート１２（及び延出体１６のシート部１６ｂ）を巻芯１４に固定している。この挟み固定部材１４ｃは、第３図（ｂ）の如く断面Ｃ字形の弾性部材であり、弾性変形しつつ巻芯１４を咥え込むようにして該巻芯１４に外嵌し、該シート１２を巻芯１４に固定するよう構成されている。
【００４６】
なお、このシート１２の巻芯１４への固定構造はこれに限定されるものではない。例えば、第４図に示すように、該巻芯１４の側周面から軸心側に向って切込み状のスリット１４ａ，１４ｂを設け、これらのスリット１４ａ，１４ｂにそれぞれシート１２及び延出体１６のシート部１６ｂの一端側を挟み込むようにして、該巻芯１４とシート１２及び延出体１６とを結合してもよい。
【００４７】
巻芯転動装置は、例えば回転ハンドルなどの少なくとも巻芯１４に回転力を与える装置であればよく、任意の装置を用いることができる。
【００４８】
なお、この実施の形態のように、窓６の上縁側（プラスチックフィルムハウス１の側面１ｓと屋根１ｒとの境界付近）から側方へ庇８が突設されるのが好ましい。この実施の形態では、該庇８は、側窓開閉装置１０の天蓋を構成する如く配置されている。
【００４９】
このように構成された側窓開閉装置１０の操作手順について次に説明する。
【００５０】
第１図のように窓６がシート１２で閉鎖された状態から窓６を開放させる場合には、巻芯転動装置を操作して巻芯１４を窓６の上縁側から下縁側へ転動させ、シート１２を該巻芯１４に巻取る。この操作により、窓６が開放される。この際、延出体１６も巻芯１４に巻取られることにより、第２図の如く延出体１６のネット１６ａが窓６側へ引き出されて該窓６を覆うようになる。窓６を全開又は所望量開放させた後、巻芯転動装置を停止させ、巻芯１４を固定する。
【００５１】
第２図のように開放状態となっている窓６をシート１２で閉鎖するには、巻芯転動装置操作して巻芯１４をシート巻出し方向へ（窓６の下縁側から上縁側へ）転動させる。この操作により、巻芯１４が窓６に沿ってシート１２を巻出しつつ転がり上がり、シート１２が窓６に被さる。
【００５２】
上記のように、この側窓開閉装置１０にあっては、シート１２の下端辺を窓６の下縁側に固定し、該シート１２の上端辺側から巻芯１４で該シート１２を巻取って窓６を上側から開放させるよう構成しているので、ハウス１内部の暖気を効果的に流出させることができると共に、外部の地表近くの冷気の流入や、地表近くにいる害虫などの侵入を防止ないし抑制することができる。さらに、シート１２の外面を流れ落ちる水滴等が途中で堰き止められるようにして溜まることがない。
【００５３】
また、この側窓開閉装置１０にあっては、錘体２０の自重により、巻芯１４を窓６の上縁側へ引き上げる力が作用しているため、この巻芯１４を介してシート１２の上端辺側が窓６の上縁側へ引張られ、シート１２がピンと張るようになる。これにより、シート１２にたるみが生じにくい。
【００５４】
さらに、このように錘体２０の自重により常に巻芯１４に引き上げ力が加えられていることにより、巻芯１４にシート巻取り方向（転がり下る方向）の回転力を付与すると、この巻芯は、シート１２を上方へ引張りながら、該シート１２を巻取りつつ窓６に沿って転がり下りるようになり、巻芯１４にシート巻出し方向（転がり上る方向）の回転力を付与すると、巻芯１４は、シート１２を上方へ引張りながら、該シート１２を巻出しつつ窓６に沿って転がり上がるようになる。このような側窓開閉装置１０にあっては、巻芯１４に回転力を付与する機構以外に、シート１２の巻取り及び巻出しに連動して巻芯１４を上下に移動させる機構を設ける必要がない。
【００５５】
なお、この側窓開閉装置１０においては、巻芯１４には、その自重（及び巻取ったシート１２等の重量）により窓６の下縁側へ転がり落ちようとする力と、錘体２０に引張られて窓６の上縁側へ転がり上がろうとする力との双方の力が加わるので、両者の力の差よりも若干大きい程度の力を加えるだけで巻芯１４を転動させることができる。
【００５６】
この実施の形態では、窓６を開放させると延出体１６が窓６側へ引き出されて該窓６を覆うようになるが、この実施の形態では、該延出体１６は通気性を有するネット１６ａよりなるので、このネット１６ａを介してプラスチックフィルムハウス１の内外の空気が相互に流通する。また、このように窓開放時に窓６をネット１６ａで覆っておくことにより、該窓６からプラスチックフィルムハウス１内に害虫やゴミ等が侵入することが防止される。
【００５７】
上記の実施の形態は本発明の一例を示すものであり、本発明は上記の実施の形態に限定されるものではない。
【００５８】
例えば、上記の実施の形態では延出体をネットにより構成しているが、延出体は孔開きシートであってもよく、紐状体であってもよい。延出体を紐状体とした場合には、延出体の構成をきわめて簡易なものとすることができる。
【００５９】
上記実施の形態では、延出体１６を途中で折り返し、この折り返し部の内側に円柱状の錘体２０を保持しているが、錘体２０の設置方法は、これ以外であってもよい。例えば、延出体１６を途中で折り返すことなくローラ１８から下方へ垂らし、その先端に錘体２０を結合してもよい。
【図面の簡単な説明】
【００６０】
【図１】実施の形態に係るプラスチックフィルムハウスの側窓開閉装置を備えたプラスチックフィルムハウスの窓閉状態時における断面図である。
【図２】図１の側窓開閉装置の窓開状態時における断面図である。
【図３】図１の側窓開閉装置における巻芯とシート及び延出体との結合部の斜視図及び断面図である。
【図４】別の巻芯とシートとの結合構造を示す斜視図である。
【符号の説明】
【００６１】
１  プラスチックフィルムハウス
１ｒ  屋根
１ｓ  側面
２  フレーム
２ａ  柱部
２ｂ  アーチ部
４  合成樹脂シート
１０  側窓開閉装置
１２  シート
１４  巻芯
１６  延出体
１６ａ  ネット
１８  ローラ
２０  錘体
【図１】
2005318824.tif 000003
【図２】
2005318824.tif 000004
【図３】
2005318824.tif 000005
【図４】
2005318824.tif 000006